(57)【特許請求の範囲】
【請求項１】
磁気カードのカード走行通路を介して互いに対向するように配置され、前記カード走行通路を通過する前記磁気カードに記録された磁気データを読み取る第１及び第２の磁気読取部と、
前記第１及び第２の磁気読取部に対して接続され、当該第１及び第２の磁気読取部からの信号を信号処理回路側にそれぞれ伝送する１つの可とう性ケーブルと
を備え、
前記可とう性ケーブルには、前記信号処理回路側に設けられたコネクタ端子に接続される本体部と、前記本体部から分岐して前記第１及び第２の磁気読取部にそれぞれ接続される第１及び第２の分岐部とが設けられ、
前記第１及び第２の分岐部は、前記カード走行通路に沿って互いに並行して延在する第１及び第２の本体部側端部をそれぞれ有し、
前記本体部は、前記カード走行通路と交差して延在する分岐部側端部を有する、
磁気カードリーダ。
【請求項２】
前記第１及び第２の本体部側端部は、前記本体部の前記分岐部側端部と接続される、
請求項１に記載の磁気カードリーダ。
【請求項３】
前記第１の分岐部は、前記第１の本体部側端部と交差する方向に延在して前記第１の磁気読取部に接続される第１の読取部側端部をさらに有し、
前記第２の分岐部は、前記第２の本体部側端部と交差する方向に延在して前記第２の磁気読取部に接続される第２の読取部側端部をさらに有する、
請求項１又は請求項２に記載の磁気カードリーダ。
【請求項４】
前記第１及び第２の本体部側端部は、前記第１及び第２の読取部側端部の延在方向とそれぞれ直交する方向に延在する請求項３に記載の磁気カードリーダ。
【請求項５】
前記本体部における分岐部側端部は、前記第１及び第２の読取部側端部の延在方向と平行に延在する請求項３に記載の磁気カードリーダ。
【請求項６】
前記第１及び第２の本体部側端部の間には、前記本体部における分岐部側端部に向けて延在する第１のスリットが形成されている請求項１から請求項５のいずれかに記載の磁気カードリーダ。
【請求項７】
前記第１の本体部側端部および前記分岐部側端部の間には、第２のスリットが形成され、
前記第２のスリットは、前記第１のスリットに対して交差する方向に延在する請求項６に記載の磁気カードリーダ。
【請求項８】
前記第１及び第２の磁気読取部は、前記カード走行通路における前記磁気カードの走行方向において異なる位置に配置されている請求項１から請求項７のいずれかに記載の磁気カードリーダ。
【請求項９】
請求項１から請求項８のいずれかに記載の磁気カードリーダと、当該磁気カードリーダを収容した筐体とを備える取引端末装置。
【発明の詳細な説明】
【技術分野】
【０００１】
本開示は、磁気カードを読み取る磁気カードリーダおよびこれを備えた取引端末装置に関する。
【背景技術】
【０００２】
従来、クレジットカード、キャッシュカード、及びＩＤカード等として、必要なデータを磁気ストライプに記憶させた磁気カードが普及している。磁気カードに記憶されたデータは、専用の磁気カードリーダで読み取ることができる。スライド式の磁気カードリーダでは、ユーザがスリット（カード走行通路）内に磁気カードを通過させた際に、そこに内蔵された磁気ヘッド（磁気読取部）に対して磁気ストライプが接触した状態でスライドし、これにより磁気ストライプに記録されたデータが磁気信号として読み取られる。
【０００３】
この種の磁気カードリーダとしては、例えば、カード走行通路を介して互いに対向するように複数の磁気ヘッドが配置されることにより、磁気カードの両面を読み取り可能な磁気カードリーダが知られている（特許文献１参照）。また、磁気ヘッドで読み取られた信号を、磁気カードリーダ内に設けられた信号処理用の電気回路に伝達するために、それら磁気ヘッドと電気回路とをフレキシブルケーブル（可とう性ケーブル）により接続した構成が知られている（特許文献２、３参照）。
【先行技術文献】
【特許文献】
【０００４】
【特許文献１】特開平６−１５０５２０号公報
【特許文献２】特開２０１１−１３８２８８号公報
【特許文献３】特開２０１２−２０３９５０号公報
【発明の概要】
【発明が解決しようとする課題】
【０００５】
ところで、上記特許文献１に記載されたような複数の磁気ヘッドを有する磁気カードリーダでは、各磁気ヘッドに対して上記特許文献２に記載されたようなフレキシブルケーブルを個別に設けると配線構造が複雑になり、また、組み立ての作業性も低下するため、１つのフレキシブルケーブル（すなわち、複数の磁気ヘッド用のフレキシブルケーブルが一体となったもの）で複数の磁気ヘッドを電気回路に接続する構成を採用することが望ましい。
【０００６】
一方で、そのように１つのフレキシブルケーブルを複数の磁気ヘッドが共用する構成では、カード走行通路を通過する磁気カードが１つの磁気ヘッドに対して当接すると、この当接による当該磁気ヘッドの動き（外力）がフレキシブルケーブルを介して他の磁気ヘッドに対して伝達される（すなわち、他の磁気ヘッドが変位する）場合がある。これにより、その他の磁気ヘッドが、カード走行通路を通過する磁気ストライプに対して適切な角度範囲内で正対しない状態となると、磁気カードのデータの安定した読み取りが難しくなる場合がある。
【０００７】
特に、磁気カードリーダの小型化の観点からフレキシブルケーブルの長さをより短くした場合には、上述のように１つの磁気ヘッドからの外力がフレキシブルケーブルを介して他の磁気ヘッドに伝達されるという現象はより顕著となる。また、フレキシブルケーブルの長さを短くした場合以外に、低温下でも、磁気ヘッドからの外力がフレキシブルケーブルを介して他の磁気ヘッドに伝達されるという現象は顕著となる。
【０００８】
本開示は、このような従来技術の課題を鑑みて案出されたものであり、１つの可とう性ケーブルを共用する複数の磁気読取部を備えた構成においても、１つの磁気読取部からの外力が可とう性ケーブルを介して他の磁気読取部に伝達されることを抑制する磁気カードリーダおよびこれを備えた取引端末装置を提供することを主目的とする。
【課題を解決するための手段】
【０００９】
本開示の磁気カードリーダは、磁気カードのカード走行通路を介して互いに対向するように配置され、前記カード走行通路を通過する前記磁気カードに記録された磁気データを読み取る第１及び第２の磁気読取部と、前記第１及び第２の磁気読取部に対して接続され、当該第１及び第２の磁気読取部からの信号を信号処理回路側にそれぞれ伝送する１つの可とう性ケーブルとを備え、前記可とう性ケーブルには、前記信号処理回路側に設けられたコネクタ端子に接続される本体部と、前記本体部から分岐して前記第１及び第２の磁気読取部にそれぞれ接続される第１及び第２の分岐部とが設けられ、前記第１及び第２の分岐部は、前記カード走行通路に沿って互いに並行して延在する第１及び第２の本体部側端部をそれぞれ有し、前記本体部は、前記カード走行通路と交差して延在する分岐部側端部を有する。
【発明の効果】
【００１０】
本開示の磁気カードリーダによれば、同じ可とう性ケーブルを共用する複数の磁気読取部が設けられた構成においても、１つの磁気読取部からの外力が可とう性ケーブルを介して他の磁気読取部に伝達されることを抑制することが可能となる。
【図面の簡単な説明】
【００１１】
【図１】実施形態に係る取引端末装置の斜視図
【図２】実施形態に係る取引端末装置の縦断面図
【図３】実施形態に係る信号処理基板に取り付けられた状態の磁気カードリーダを示す斜視図
【図４】実施形態に係る磁気カードリーダの上面図
【図５】実施形態に係る磁気カードリーダの下面図
【図６】実施形態に係る磁気カードリーダの側面図
【図７】実施形態に係る磁気カードリーダの磁気ヘッドに接続された可とう性ケーブルの展開状態を示す平面図
【発明を実施するための形態】
【００１２】
上記課題を解決するためになされた第１の発明は、磁気カードのカード走行通路を介して互いに対向するように配置され、前記カード走行通路を通過する前記磁気カードに記録された磁気データを読み取る第１及び第２の磁気読取部と、前記第１及び第２の磁気読取部に対して接続され、当該第１及び第２の磁気読取部からの信号を信号処理回路側にそれぞれ伝送する１つの可とう性ケーブルとを備え、前記可とう性ケーブルには、前記信号処理回路側に設けられたコネクタ端子に接続される本体部と、前記本体部から分岐して前記第１及び第２の磁気読取部にそれぞれ接続される第１及び第２の分岐部とが設けられ、前記第１及び第２の分岐部は、前記カード走行通路に沿って互いに並行して延在する第１及び第２の本体部側端部をそれぞれ有し、前記本体部は、前記カード走行通路と交差して延在する分岐部側端部を有する。
【００１３】
この第１の発明に係る磁気カードリーダによれば、１つの磁気読取部で生じた変位を第１及び第２の分岐部において吸収可能であるため、１つの可とう性ケーブルを共用する複数の磁気読取部が設けられた構成においても、１つの磁気読取部からの外力が可とう性ケーブルを介して他の磁気読取部に伝達されることを抑制することができる。
【００１４】
また、第２の発明では、上記第１の発明において、前記第１及び第２の本体部側端部は、前記本体部の前記分岐部側端部と接続される。
【００１５】
この第２の発明に係る磁気カードリーダによれば、第１及び第２の本体部側端部および本体部の分岐部側端部により、１つの磁気読取部からの外力が可とう性ケーブルを介して他の磁気読取部に伝達されることを抑制することができる。
【００１６】
また、第３の発明では、上記第１または第２の発明において、前記第１の分岐部は、前記第１の本体部側端部と交差する方向に延在して前記第１の磁気読取部に接続される第１の読取部側端部をさらに有し、前記第２の分岐部は、前記第２の本体部側端部と交差する方向に延在して前記第２の磁気読取部に接続される第２の読取部側端部をさらに有する。
【００１７】
この第３の発明に係る磁気カードリーダによれば、第１及び第２の本体部側端部および第１及び第２の読取部側端部により、１つの磁気読取部からの外力が可とう性ケーブルを介して他の磁気読取部に伝達されることを抑制することができる。
【００１８】
また、第４の発明では、上記第３の発明において、前記第１及び第２の本体部側端部は、前記第１及び第２の読取部側端部の延在方向とそれぞれ直交する方向に延在することを特徴とする。
【００１９】
この第４の発明に係る磁気カードリーダによれば、第１及び第２の分岐部の実質的な長さ（すなわち、第１及び第２の読取部側端部の長さ）をより短くしたコンパクトな構成においても、１つの磁気読取部からの外力が可とう性ケーブルを介して他の磁気読取部に伝達されることを抑制することが可能となる。
【００２０】
また、第５の発明では、上記第３の発明において、前記本体部における分岐部側端部は、前記第１及び第２の読取部側端部の延在方向と平行に延在することを特徴とする。
【００２１】
この第５の発明に係る磁気カードリーダによれば、可とう性ケーブルの配線スペースをよりコンパクト化することが可能となる。
【００２２】
また、第６の発明では、上記第１から第５の発明いずれかにおいて、前記第１及び第２の本体部側端部の間には、前記本体部における分岐部側端部に向けて延在する第１のスリットが形成されていることを特徴とする。
【００２３】
この第６の発明に係る磁気カードリーダによれば、第１のスリットのサイズ（幅）を調整することにより、１つの磁気読取部からの外力が可とう性ケーブルを介して他の磁気読取部に伝達されることを容易に抑制することができる。
【００２４】
また、第７の発明では、上記第６の発明において、前記第１の本体部側端部および前記分岐部側端部の間には、第２のスリットが形成され、前記第２のスリットは、前記第１のスリットに対して交差する方向に延在することを特徴とする。
【００２５】
この第７の発明に係る磁気カードリーダによれば、第２のスリットのサイズ（幅）を調整することにより、１つの磁気読取部からの外力が可とう性ケーブルを介して他の磁気読取部に伝達されることをより容易に抑制することができる。
【００２６】
また、第８の発明は、第１から第７の発明において、前記第１及び第２の磁気読取部は、前記カード走行通路における前記磁気カードの走行方向において異なる位置に配置されていることを特徴とする。
【００２７】
この第８の発明に係る磁気カードリーダによれば、第１及び第２の磁気読取部の読み取り時における相互の干渉を抑制しつつ、１つの磁気読取部からの外力が可とう性ケーブルを介して他の磁気読取部に伝達されることを抑制することができる。
【００２８】
また、第９の発明は、第１から第８の発明のいずれかに係る磁気カードリーダと、当該磁気カードリーダを収容した筐体とを備えたことを特徴とする取引端末装置である。
【００２９】
この第９の発明に係る取引端末装置によれば、１つの磁気読取部で生じた変位を第１及び第２の分岐部において吸収可能な構成としたため、１つの可とう性ケーブルを共用する複数の磁気読取部が設けられた構成においても、１つの磁気読取部からの外力が可とう性ケーブルを介して他の磁気読取部に伝達されることを抑制することができる。
【００３０】
以下、本開示の実施の形態について図面を参照しながら説明する。
【００３１】
図１および図２は、それぞれ本開示の実施形態に係る取引端末装置１の斜視図および縦断面図である。なお、図１および図２では、矢印で所定の方向が示されているが、これらはあくまで説明の便宜のために用いるものであって、取引端末装置１やその各構成要素の配置はそれらに限定されるものではない（後述する図３−図６についても同様。）。
【００３２】
図１に示すように、取引端末装置１は、クレジットカードやキャッシュカードなどとしての磁気カードＣ１を用いてキャッシュレスで決済を行うモバイル決済端末であり、筐体２の前面３に、表示入力パネル４と、キーパッド部５とが配置されている。
【００３３】
筐体２は、アッパーケース２ａおよびロアーケース２ｂで構成されている。表示入力パネル４は、液晶表示パネルとタッチパネルとを組み合わせた、いわゆるタッチパネルディスプレイである。キーパッド部５には、複数の操作キー、具体的には電源キーと、テンキーおよびファンクションキーなどの入力キーとが配列されている。また、筐体２の側面部分には、電源プラグおよびメモリカードスロットを覆うカバー６が設けられている。
【００３４】
図２に示すように、取引端末装置１は、プリンタ１２を備えている。プリンタ１２は、感熱方式により記録紙に印字する、いわゆるサーマルプリンタであり、このプリンタ１２では、記録紙をロール状に巻いたロール紙ＲＰから引き出された記録紙に印字が行われて排紙口１３から排出される。
【００３５】
また、筐体２の内部には、スライド式の磁気カードリーダ２１が設けられている。磁気カードリーダ２１は、筐体２の端部に設けられたカードスロット（カード走行通路）２３に挿入された磁気カードＣ１（図１参照）を読み取るものである。磁気カードＣ１は、所定の規格（ＪＩＳ I型、ＪＩＳ II型など）に準拠し、カード本体の両面または片面に磁気ストライプ（磁気テープ）が設けられた、いわゆる磁気ストライプカードであり、この磁気カードＣ１をカードスロット２３に差し込むと、第１及び第２の磁気ヘッド２４Ａ、２４Ｂ（以下、総称する場合には、「磁気ヘッド２４」という。）が磁気ストライプに接触し、左右方向に走行（スライド）させるスワイプ操作により、磁気ストライプに記録された情報を読み取ることができる。このように、磁気カード用のカードスロット２３では、磁気カードをスライドさせるため、３方向に開口している。なお、磁気カードＣ１のスライド方向は、図１中の磁気カードＣ１に付した矢印で示す方向に限らず、逆向きに磁気カードＣ１を走行させることも可能である。
【００３６】
また、筐体２の内部には、通信モジュール２８と、バッテリー２９とが設けられている。通信モジュール２８は、決済処理システムのサーバ（図示せず）などとの間で無線通信を行うものである。バッテリー２９は、取引端末装置１の各部に給電するものである。このバッテリー２９が収容されるバッテリー収容部３０には、バッテリー２９を出し入れするための開口を閉鎖するバッテリーカバー３１が設けられている。
【００３７】
このように取引端末装置１では、磁気カードＣ１を用いてキャッシュレスで決済が行われ、その決済の内容を記録した控票を印字することができる。このほか、取引端末装置１では、ＩＤカードを用いたユーザ認証、例えば取引端末装置１の使用者を認証する機能を備えたものとしてもよい。また、取引端末装置１には、磁気カードＣ１のみならず、接触型ＩＣカードや、非接触型ＩＣカードなどの読み取り機能をさらに付加してもよい。
【００３８】
筐体２の内部における表示入力パネル４の背面側には、メイン基板３２と、サブ基板３３とが設けられている。このメイン基板３２およびサブ基板３３には、取引端末装置１の各部を制御するための各種の電子部品が実装されている。例えば、メイン基板３２には、表示入力パネル４を構成する液晶表示パネルおよびタッチパネルが接続され、それらの制御を行う電子部品が実装されている。また、筐体２の内部におけるキーパッド部５の背面側には、磁気ヘッド２４に対して電気的に接続され、磁気カードＣ１の読み取りによって出力される磁気ヘッド２４からの磁気信号（アナログ信号）を処理するための公知の信号処理回路（例えば、増幅回路、復調回路等）を備えた信号処理基板３５が配置されている。
【００３９】
図３、図４、図５及び図６は、それぞれ磁気カードリーダ２１の斜視図（下面側）、上面図、下面図、及び側面図であり、図７は、磁気ヘッド２４に接続された可とう性ケーブル４２の展開状態を示す平面図である。
【００４０】
図３に示すように、磁気カードリーダ２１は、磁気カード用のカードスロット（カード走行通路）２３が形成された本体ケース（通路形成部材）４１を備えている。本体ケース４１は、側面視において略コ字形を呈しており、両磁気ヘッド２４Ａ、２４Ｂは、カードスロット２３を介して互いに対向するように本体ケース４１の上下に配置される。また、磁気カードリーダ２１には、両磁気ヘッド２４Ａ、２４Ｂからの信号を信号処理基板３５側に伝送するために、ＦＰＣ（Flexible printed circuits）から構成される可とう性ケーブル４２が配設されている。可とう性ケーブル４２の構造については、導体の上下面を保護層で覆った公知の構造を採用することができる。なお、磁気カードリーダ２１は、信号処理基板３５に対して上下方向に離間した状態で筐体２に形成された取付部（図示せず）に対して固定（例えば、ねじ留め）されている。
【００４１】
図４に示すように、第１の磁気ヘッド２４Ａは、平面視において略方形状をなし、また、磁気ヘッド２４には、その三方（前、左、右）を囲むように形成されたヘッド枠４５が付設されている。ヘッド枠４５では、その前壁４５Ａが、磁気ヘッド２４に対して固定されており、また、その前壁４５Ａの両端から延設された左壁４５Ｂおよび右壁４５Ｃは、磁気ヘッド２４の左右側面から所定の間隔で離間されている。また、詳細は後述するが、第１の磁気ヘッド２４Ａの前面には、可とう性ケーブル４２の一端が接続されている。
【００４２】
さらに、ヘッド枠４５には、磁気ヘッド２４を本体ケース４１に支持する支持ばね４６が取り付けられている。支持ばね４６は、複数の屈曲部を有する棒状のばねであり、磁気ヘッド２４の左右方向に延設された左右の軸部４６Ａ、４６Ｂと、それら軸部４６Ａ、４６Ｂの内側の端部を連結し且つ磁気ヘッド２４の前部を囲むように配置された凹状部４６Ｃとを有している。左右の軸部４６Ａ、４６Ｂは、本体ケース４１における磁気ヘッド２４の左右に配置された一対の支持部材４８によって回動可能に支持されており、また、凹状部４６Ｃは、ヘッド枠４５の前壁４５Ａに設けられたフランジ部４５Ｄの下面に固定されている。
【００４３】
なお、図５に示す第２の磁気ヘッド２４Ｂおよびその周辺の構造についても上述の第１の磁気ヘッド２４Ａの場合と同様である。
【００４４】
このような構成により、両磁気ヘッド２４Ａ、２４Ｂは、磁気カードＣ１（磁気ストライプ部）に対してその信号検出部を正対させた状態で、それぞれ本体ケース４１に対して支持ばね４６により弾性的に支持される。また、図２に示したように、両磁気ヘッド２４Ａ、２４Ｂは、カードスロット２３の一部を上下から塞ぐように配置されているため、磁気カードＣ１がカードスロット２３通過する際には、磁気カードＣ１によって支持ばね４６の付勢力に抗してカードスロット２３の外側に押圧される。
【００４５】
なお、図６に示すように、両磁気ヘッド２４Ａ、２４Ｂ（信号検出部）は、相互の干渉を防止するために、その中心位置が少なくともカードスロット２３のカード走行方向（図６中の左右方向）において異なる位置に（すなわち、所定の距離だけずらして）配置されている。
【００４６】
図７に示すように、可とう性ケーブル４２は、信号処理基板３５に設けられたコネクタ端子５１（図３参照）に対して基端部６１Ａを接続される本体部６１と、この本体部６１の一端側（分岐部側端部６１Ｂ）から分岐して両磁気ヘッド２４Ａ、２４Ｂにそれぞれ接続される第１及び第２の分岐部６２、６３とを有している。この少なくとも可とう性ケーブル４２の展開状態において、本体部６１における分岐部側端部６１Ｂの延在方向Ｘｍ１（ここでは、本体部６１の延在方向にも相当）は、第１の分岐部６２における本体部側端部（第１の本体部側端部）６２Ａおよび第２の分岐部６３における本体部側端部（第２の本体部側端部）６３Ａの延在方向Ｘｓ１、Ｘｓ２に対してともに交差（好ましくは直交）する方向に延在する。図３に示したように、本体部６１は、カードスロット２３（すなわち、磁気カードＣ１の走行方向）と交差して延在する。また、本体部側端部６２Ａ、６３Ａは、カードスロット２３に沿って互いに並行して延在する。
【００４７】
このような構成により、磁気カードリーダ２１では、１つの可とう性ケーブル４２を共用する２つの磁気ヘッド２４Ａ、２４Ｂが設けられた構成においても、一方の磁気ヘッドからの外力が可とう性ケーブル４２を介して他方の磁気ヘッドに伝達されることを抑制することが可能となる。例えば、第１の磁気ヘッド２４Ａに磁気カードが当接することにより第１の磁気ヘッド２４Ａが変位し、これにより、第１の磁気ヘッド２４Ａに対する第１の分岐部６２の接続端（ヘッド側端部６２Ｂ）が変位した場合でも、その接続端の変位は、第１の分岐部６２および第２の分岐部６３（特に、本体部側端部６２Ａ、６３Ａ）の撓みによって吸収されることにより、第１の磁気ヘッド２４Ａへの変位（外力）の伝達が抑制される。その結果、磁気ヘッド２４Ａ、２４Ｂによる磁気カードの安定的な読み取りが可能となる。このような磁気カードの読み取りを安定化させる効果は、読み取り対象の磁気カードに熱等による変形が生じている場合や、カードスロット２３における磁気カードが正規の走行方向から傾いた場合などにおいても有効である。
【００４８】
なお、本体部６１の中間には、Ｕ字状部６１Ｃが設けられており、これにより、可とう性ケーブル４２のコネクタ端子５１への接続作業が容易となる。
【００４９】
また、第１の分岐部６２では、その本体部側端部６２Ａの第１の磁気ヘッド２４Ａ側に連なるヘッド側端部（第１の読取部側端部）６２Ｂが形成されており、このヘッド側端部６２Ｂは、本体部側端部６２Ａの延在方向に対して交差（好ましくは直交）するように第１の磁気ヘッド２４Ａから本体部側端部６２Ａ（第２の磁気ヘッド２４Ｂ側）に向けて延在する。
【００５０】
同様に、第２の分岐部６３では、その本体部側端部６３Ａの第２の磁気ヘッド２４Ｂ側に連なるヘッド側端部（第２の読取部側端部）６３Ｂが形成されており、このヘッド側端部６３Ｂは、本体部側端部６３Ａの延在方向に対して交差（好ましくは直交）するように第２の磁気ヘッド２４Ｂから本体部側端部６３Ａ（第１の磁気ヘッド２４Ａ側）に向けて延在する。ヘッド側端部６３Ｂは、磁気カードの走行方向（図６中の左右方向）における異なる位置においてヘッド側端部６２Ｂと平行に延在する。
【００５１】
第１及び第２の分岐部６２、６３における本体部側端部６２Ａ、６３Ａの間には、本体部６１における分岐部側端部６１Ｂに向けて延在する第１のスリット７１が形成されている。第１のスリット７１は、その終端を除き略同一の幅を有している。これにより、第１のスリット７１を介して配置された本体部側端部６２Ａ、６３Ａの外縁間の距離は、本体部６１の幅よりも拡大されている。また、本体部側端部６２Ａおよび分岐部側端部６１Ｂの間には、第２のスリット７２が形成され、第２のスリット７２は、第１のスリット７１に対して交差（好ましくは直交）する方向に延在する。第２のスリット７２は、その終端を除き略同一の幅を有している。また、本体部６１における分岐部側端部６１Ｂは、ヘッド側端部６２Ｂ、６３Ｂと平行に延在する。このような構成により、同じ可とう性ケーブルを共用する複数の磁気ヘッドが設けられた構成において、１つの磁気ヘッドからの外力が可とう性ケーブルを介して他の磁気ヘッドに伝達されることが抑制される。また、低温下でも、磁気ヘッドからの外力が可とう性ケーブルを介して他の磁気ヘッドに伝達されるという現象の発生が低減される。
【００５２】
なお、本実施形態では、第１の磁気ヘッド２４Ａは１トラックを有し、第２の磁気ヘッド２４Ｂは２トラックを有する。これにより、第２の分岐部６３では、第１の分岐部６２よりも多くの導体が必要となり、第２の分岐部６３は、第１の分岐部６２よりも広い幅を有している。ただし、これに限らず、両磁気ヘッド２４Ａ、２４Ｂにおけるトラック数は適宜変更することが可能である。
【００５３】
以上、本開示を特定の実施形態に基づいて説明したが、これらの実施形態はあくまでも例示であって、本開示はこれらの実施形態によって限定されるものではない。例えば、本開示による磁気カードリーダは、上述の取引端末装置に限らず、磁気カードの読み取り機能を備えた任意の装置（例えば、磁気カードにより個人認証を行う入退室管理装置）に適用することが可能である。また、本開示による磁気カードリーダは、上述の２つの磁気ヘッドに限らず、３以上の磁気ヘッドを備えることも可能である。その場合、本開示による１つの可とう性ケーブルが、３以上の磁気ヘッドからの信号を信号処理回路側にそれぞれ伝送する構成とすることもできる。なお、上記磁気カードリーダおよびこれを備えた取引端末装置の各構成要素は、必ずしも全てが必須ではなく、少なくとも本開示の範囲を逸脱しない限りにおいて適宜取捨選択することが可能である。
【産業上の利用可能性】
【００５４】
本開示に係る磁気カードリーダおよびこれを備えた取引端末装置は、一体の可とう性ケーブルを共用する複数の磁気ヘッドが設けられた構成においても、１つの磁気ヘッドからの外力が可とう性ケーブルを介して他の磁気ヘッドに伝達されることを抑制することを可能とし、磁気カードを読み取る磁気カードリーダおよびこれを備えた取引端末装置などとして有用である。
【符号の説明】
【００５５】
１  取引端末装置
２  筐体
２１  磁気カードリーダ
２３  カードスロット（カード走行通路）
２４Ａ  第１の磁気ヘッド（磁気読取部）
２４Ｂ  第２の磁気ヘッド（磁気読取部）
２８  通信モジュール
２９  バッテリー
３５  信号処理基板
４１  本体ケース（通路形成部材）
４２  可とう性ケーブル
４５  ヘッド枠
４５Ａ  前壁
４５Ｂ  左壁
４５Ｃ  右壁
４５Ｄ  フランジ部
４６  支持ばね
４６Ａ  軸部
４６Ｂ  軸部
４６Ｃ  凹状部
４８  支持部材
５１  コネクタ端子
６１  本体部
６１Ａ  基端部
６１Ｂ  分岐部側端部
６１Ｃ  Ｕ字状部
６２  第１の分岐部
６２Ａ  第１の本体部側端部
６２Ｂ  第１のヘッド側端部（読取部側端部）
６３  第２の分岐部
６３Ａ  第２の本体部側端部
６３Ｂ  第２のヘッド側端部（読取部側端部）
７１  第１のスリット
７２  第２のスリット
Ｃ１  磁気カード
【図１】
0006288566.tif 000002
【図２】
0006288566.tif 000003
【図３】
0006288566.tif 000004
【図４】
0006288566.tif 000005
【図５】
0006288566.tif 000006
【図６】
0006288566.tif 000007
【図７】
0006288566.tif 000008